(57)【要約】      （修正有）【課題】空気などの気体、光、水などの液体、音などの通過特性を調整することができ、観察する角度又は表面と裏面とで、表示状態の異なる図柄又は模様を表示することができる金属板を提供する。【解決手段】本発明の一態様に係る金属板１は、第１平面と該第１平面と対向する第２平面とを有する。第１平面に形成された複数の凹部と複数の凹部に対応する前記第２平面に形成された凹部とは各々連結して複数の貫通孔が形成される。複数の貫通孔のうちの少なくとも一つは、第１平面側の凹部の開口径が第２平面側の凹部の開口径よりも大きい。第１平面と第２平面とのうちの少なくとも一方に形成された凹部と、貫通孔とのうちの少なくとも一方により、第１平面と前記第２平面とのうちの少なくとも一方で図柄が表示される。【選択図】図１
2008209573.tif 000002
【特許請求の範囲】
【請求項１】
第１平面と該第１平面と対向する第２平面とを有する金属板において、
前記第１平面に形成された複数の凹部と前記複数の凹部に対応する前記第２平面に形成された凹部とが各々連結して複数の貫通孔が形成されており、
前記複数の貫通孔のうちの少なくとも一つは、前記第１平面側の凹部の開口径が前記第２平面側の凹部の開口径よりも大きく、
前記第１平面と前記第２平面とのうちの少なくとも一方に形成された凹部と、前記貫通孔とのうちの少なくとも一方により、前記第１平面と前記第２平面とのうちの少なくとも一方で図柄が表示される
ことを特徴とする金属板。
【請求項２】
第１平面と該第１平面と対向する第２平面とを有する金属板において、
前記第１平面に形成された複数の凹部と前記複数の凹部に対応する前記第２平面に形成された凹部とが各々連結して複数の貫通孔が形成されており、
前記複数の貫通孔のうちの少なくとも一つは、前記第１平面側の凹部と前記第２平面側の凹部との深さが異なり、
前記第１平面と前記第２平面とのうちの少なくとも一方に形成された凹部と、前記貫通孔とのうちの少なくとも一方により、前記第１平面と前記第２平面とのうちの少なくとも一方で図柄が表示される
ことを特徴とする金属板。
【請求項３】
第１平面と該第１平面と対向する第２平面とを有する金属板において、
前記第１平面に形成された複数の凹部と前記複数の凹部に対応する前記第２平面に形成された凹部とが各々連結して複数の貫通孔が形成されており、
前記複数の貫通孔のうちの少なくとも一つは、前記第１平面側の凹部の軸と前記第２平面側の凹部の軸とがずれており、
前記第１平面と前記第２平面とのうちの少なくとも一方に形成された凹部と、前記貫通孔とのうちの少なくとも一方により、前記第１平面と前記第２平面とのうちの少なくとも一方で図柄が表示される
ことを特徴とする金属板。
【請求項４】
請求項１の金属板において、
前記複数の貫通孔のうちの少なくとも一つは、前記第１平面側の凹部に対して、前記第２平面側に複数の凹部が形成されている
ことを特徴とする金属板。
【請求項５】
請求項１記載の金属板において、
前記複数の貫通孔のうちの少なくとも一つは、前記第１平面側の凹部の開口径が前記第２平面側の凹部の開口径よりも大きく、かつ、前記第１平面側の凹部の軸と前記第２平面側の凹部の軸とがすれている
ことを特徴とする金属板。
【請求項６】
請求項４記載の金属板において、
前記第２平面側に形成されている前記複数の凹部のうち少なくとも一つは、記第２平面側に形成されている他の凹部と開口径が異なる
ことを特徴とする金属板。
【請求項７】
第１平面と該第１平面と対向する第２平面とを有する金属板において、
前記第１平面に形成された複数の凹部と前記複数の凹部に対応する前記第２平面に形成された凹部とが各々連結して複数の貫通孔が形成されており、
前記複数の貫通孔のうちの少なくとも一つは、前記第１平面側の凹部の底部に形成された中間凹部と、前記第２平面側の凹部とを連結して形成され、
前記第１平面と前記第２平面とのうちの少なくとも一方に形成された凹部と、前記貫通孔とのうちの少なくとも一方により、前記第１平面と前記第２平面とのうちの少なくとも一方で図柄が表示される
ことを特徴とする金属板。
【請求項８】
請求項７記載の金属板において、
前記複数の貫通孔のうちの少なくとも一つは、前記第１平面側の凹部に対して、前記第２平面側に複数の凹部が形成されていることを特徴とする金属板。
【請求項９】
請求項１乃至請求項８のいずれか１項に記載の金属板において、
前記複数の貫通孔のうちの他の少なくとも一つは、前記第１平面側の凹部の開口径が前記第２平面側の凹部の開口径よりも小さい
ことを特徴とする金属板。
【請求項１０】
請求項９記載の金属板において、
前記複数の貫通孔のうちの他の少なくとも一つは、前記第２平面側の凹部に対して、前記第１平面側に複数の凹部が形成されている
ことを特徴とする金属板。
【請求項１１】
請求項１乃至請求項１０のいずれか１項に記載の金属板において、
前記第１平面と前記第２平面とのうちの少なくとも一方に、エンボスが形成されている
ことを特徴とする金属板。
【請求項１２】
請求項１乃至請求項１１のいずれか１項に記載の金属板において、
樹脂層によりコーティングされていることを特徴とする金属板。
【発明の詳細な説明】
【技術分野】
【０００１】
本発明は、例えばエッチングなどの手法により貫通孔が形成されている金属板に関する。
【背景技術】
【０００２】
特許文献１（特開２００６−３９１８７号公報）には、板材に同一の形状および大きさを有する多数の貫通小孔が均等なピッチで形成された多孔板に表示物を描出する方法が開示されている。
【０００３】
この特許文献１においては、ロゴ自体の部分における貫通小孔の孔径を、その部分以外の部分における貫通小孔の孔径と異なるようにすることにより、ロゴが描出される。
【特許文献１】特開２００６−３９１８７号公報
【発明の開示】
【発明が解決しようとする課題】
【０００４】
しかしながら、上記の特許文献１においては、貫通孔を空気、液体などの流体、光、音が通過する場合の通過特性までは検討されていない。
【０００５】
また、表面と裏面とで表示状態の異なる図柄又は模様を表示することについても検討されていない。
【０００６】
本発明は、以上のような実情に鑑みてなされたもので、空気などの気体、光、水などの液体、音などの通過特性を調整することができ、観察する角度又は表面と裏面とで、表示状態の異なる図柄又は模様を表示することができる金属板を提供することを目的とする。
【課題を解決するための手段】
【０００７】
上記課題は、第１平面と該第１平面と対向する第２平面とを有する金属板において、第１平面に形成された複数の凹部と複数の凹部に対応する第２平面に形成された凹部とが各々連結して複数の貫通孔が形成されており、複数の貫通孔のうちの少なくとも一つは、第１平面側の凹部の開口径が第２平面側の凹部の開口径よりも大きく、第１平面と第２平面とのうちの少なくとも一方に形成された凹部と、貫通孔とのうちの少なくとも一方により、第１平面と第２平面とのうちの少なくとも一方で図柄が表示される金属板、により解決される。
【０００８】
上記課題は、第１平面と該第１平面と対向する第２平面とを有する金属板において、第１平面に形成された複数の凹部と複数の凹部に対応する第２平面に形成された凹部とが各々連結して複数の貫通孔が形成されており、複数の貫通孔のうちの少なくとも一つは、第１平面側の凹部と第２平面側の凹部との深さが異なり、第１平面と第２平面とのうちの少なくとも一方に形成された凹部と、貫通孔とのうちの少なくとも一方により、第１平面と第２平面とのうちの少なくとも一方で図柄が表示される金属板、により解決される。
【０００９】
上記課題は、第１平面と該第１平面と対向する第２平面とを有する金属板において、第１平面に形成された複数の凹部と複数の凹部に対応する第２平面に形成された凹部とが各々連結して複数の貫通孔が形成されており、複数の貫通孔のうちの少なくとも一つは、第１平面側の凹部の軸と第２平面側の凹部の軸とがずれており、第１平面と第２平面とのうちの少なくとも一方に形成された凹部と、貫通孔とのうちの少なくとも一方により、第１平面と第２平面とのうちの少なくとも一方で図柄が表示される金属板、により解決される。
【００１０】
上記課題は、第１平面と該第１平面と対向する第２平面とを有する金属板において、第１平面に形成された複数の凹部と複数の凹部に対応する第２平面に形成された凹部とが各々連結して複数の貫通孔が形成されており、複数の貫通孔のうちの少なくとも一つは、第１平面側の凹部と、該凹部の底部に形成された中間凹部と、第２平面側の凹部とを連結して形成され、第１平面と第２平面とのうちの少なくとも一方に形成された凹部と、貫通孔とのうちの少なくとも一方により、第１平面と第２平面とのうちの少なくとも一方で図柄が表示される金属板により、解決される。
【発明の効果】
【００１１】
本発明により、空気などの気体、光、水などの液体、音などの通過特性を調整することができ、観察する角度又は表面と裏面とで、表示状態の異なる図柄又は模様を表示することができる。また、通過対象が音の場合には、金属板の角度により音を変化させることもできる。
【発明を実施するための最良の形態】
【００１２】
以下、図面を参照しながら本発明の実施の形態について説明する。なお、以下の各図において同様の機能を実現する部分については同一の符号を付して説明を省略する。
【００１３】
（第１の実施の形態）
本実施の形態においては、複数の貫通孔が第１平面（例えば表面）から第２平面（例えば裏面）に貫通する金属板に付いて説明する。
【００１４】
図１は、本実施の形態に係る金属板の一例を示す表面図である。
【００１５】
図２は、本実施の形態に係る金属板の一例を示す裏面図である。
【００１６】
図１及び図２の丸部に示すように、本実施の形態に係る金属板１は、表面２と裏面３とで異なった図柄、模様の表示を可能としている。
【００１７】
金属板１は、例えば、網戸と同様の役割を果たすように窓枠に対してスライド可能に設置される。金属板１の第１平面（以下、例に表面２と記す）から第２平面（以下、例に裏面３と記す）へは、複数の貫通孔が形成されている。なお、金属板１の用途は網戸に限定されるものではない。金属板は例えばフェンス、スピーカ用フロントパネル、照明器具のシェード、装飾材、工芸品、建装材、遮蔽材、接触防止壁、遮音壁、消音材などに用いられるとしてもよい。
【００１８】
金属板１における複数の貫通孔のピッチや大きさは、表面２と裏面３において、図柄（字も含む）、模様、光、風、気体、液体、音を通過させる程度などに応じて調整される。
【００１９】
金属板１において、表面２には複数の凹部が形成されており、裏面３には前記凹部に対応して複数の凹部が形成されている。表面２の凹部と裏面３の凹部とが連結して貫通孔が形成されている。
【００２０】
金属板１としては、例えば、ステンレス鋼が用いられ、厚さは０．２ｍｍ〜１．０ｍｍ、より好ましくは０．３ｍｍ〜０．８ｍｍ程度とする。
【００２１】
本実施の形態において、凹部及び凹部が連結した貫通孔はエッチングにより形成されるとするが、レーザを用いて凹部及び凹部が連結した貫通孔を形成してもよく、サンドブラストなどのような粒子をぶつける手法により凹部及び凹部が連結した貫通孔を形成してもよい。なお、凹部及び凹部が連結した貫通孔の形成手法は、これに限定されるものではなく、種々の手法を用いることができ、さらに各手法を自由に組み合わせて用いることができる。
【００２２】
図３から図１３は、それぞれ本実施の形態に係る金属板の貫通孔の第１例から第１１例までを示す断面図である。
【００２３】
金属板１の表面２及び裏面３には、貫通孔Ｈ１〜Ｈ１２、凹部を自由に組み合わせて図柄又は模様が表示されている。
【００２４】
複数の貫通孔のうち貫通孔（ストレート孔）Ｈ１では、表面２側の凹部Ａ１の開口径と裏面３側の凹部Ｂ１の開口径とがほぼ等しく、それぞれの凹部の軸（平面視での凹部の中心を通る垂直方向への中心線）もほぼ一致している。（図３）
貫通孔Ｈ２では、表面２側の凹部Ａ２の開口径が裏面３側の凹部Ｂ２の開口径よりも大きい。すなわち、貫通孔Ｈ２では、表面２側の凹部Ａ２の平面視での開口面積が、裏面３側の凹部Ｂ２の平面視での開口面積よりも広い。（図４）
貫通孔Ｈ３は、表面２側の凹部Ａ３の軸方向の表面からの長さが裏面３側の凹部Ｂ３の軸方向の裏面からの長さよりも長い。すなわち、表面２側の凹部Ａ３の方が裏面３側の凹部Ｂ３よりも深い。（図５）
貫通孔Ｈ４では、表面２側の凹部Ａ４の軸と裏面３側の凹部Ｂ４の軸とがずれている。すなわち、貫通孔Ｈ４は、その貫通軸が、表面２及び裏面３と垂直な方向に対して斜めになっており、平行ではない状態となっている。（図６）
なお、本実施の形態において、貫通軸とは、表面２における凹部開口部の平面視での中心Ｍと裏面３における凹部開口部の平面視での中心Ｎとを結ぶ軸であるとする。
【００２５】
貫通孔Ｈ５では、表面２側の凹部Ａ５に対して、裏面３側に複数の凹部Ｂ５１〜Ｂ５３が形成され、複数の貫通孔となっている。（図７）
貫通孔Ｈ６では、表面２側の凹部Ａ６の開口径が裏面３側の凹部Ｂ６の開口径よりも大きく、かつ、表面２側の凹部Ａ６の軸と裏面３側の凹部Ｂ６の軸とがずれている。（図８）
貫通孔Ｈ７では、表面２側の凹部Ａ７に対して、裏面３側に複数の凹部Ｂ７１〜Ｂ７３が形成されている。さらに、貫通孔Ｈ７では、裏面３側の凹部Ｂ７１の開口径が、裏面３側の他の凹部Ｂ７２，Ｂ７３と異なっている。すなわち、開口径の異なる複数の貫通孔が形成されている。（図９）
貫通孔Ｈ８では、表面２側の凹部Ａ８の開口径が裏面３側の凹部Ｂ８の開口径よりも大きい。さらに、貫通孔Ｈ８には、表面２側の凹部Ａ８と裏面３側の凹部Ｂ８との板厚方向での間であり、凹部Ａ８の底部に、表面２側の凹部Ａ８の開口径よりも小さく、裏面３側の凹部Ｂ８の開口径よりも大きい開口径を持つ中間凹部Ｃ８が形成されている。貫通孔Ｈ８は、表面２側の凹部Ａ８の底部に設けられた中間凹部Ｃ８と凹部Ｂ８とが連結されることにより形成されている。すなわち、貫通孔Ｈ８では、凹部の側面形状が多段となっている。（図１０）
貫通孔Ｈ８において、凹部Ａ８の底部に凹部Ｃ８を形成する方法は、例えば、ハーフエッチングにより表面２側に凹部Ａ８を形成し、その後２段目のハーフエッチングにより凹部Ａ８の底部に中間凹部Ｃ８を形成して行われる。
【００２６】
なお、図１０では、表面２側に、２段のハーフエッチングにより凹部Ａ８及び中間凹部Ｃ８が形成される場合を例示しているが、表面２側に、２段よりも多い複数段のハーフエッチングにより複数の中間凹部が形成され、最終的に貫通孔が形成されるとしてもよい。表面２側ではなく、裏面３側に複数段のエッチングが行われるとしてもよい。
【００２７】
貫通孔Ｈ９では、表面２側の凹部Ａ９に対して、裏面３側に複数の凹部Ｂ９１〜Ｂ９３が形成されている。さらに、貫通孔Ｈ９には、表面２側の凹部Ａ９と裏面３側の凹部Ｂ９２との板厚方向での間であり、凹部Ａ９の底部に、表面２側の凹部Ａ９の開口径よりも小さく、裏面３側の凹部Ｂ９２の開口径よりも大きい開口径を持つ中間凹部Ｃ９が形成されている。貫通孔Ｈ９では、表裏の凹部が貫通する位置を板厚方向で異なったものとしている。（図１１）
なお、深さの異なる中間凹部を凹部Ｂ９１又は凹部Ｂ９３に対応する位置に形成してもよい。すなわち、凹部Ｂ９１及び凹部Ｂ９３で形成する貫通部の位置を、凹部Ｂ９２で形成する貫通部の位置よりも裏面３側に近づけてもよい。
【００２８】
貫通孔Ｈ１０では、表面２側の凹部Ａ１０の開口径が裏面３側の凹部Ｂ１０の開口径よりも小さい。すなわち、貫通孔Ｈ１０では、表面２側の凹部Ａ１０の平面視での開口面積が、裏面３側の凹部Ｂ１０の平面視での開口面積よりも狭い。（図１２）
なお、図１２では、金属板１に、前述した図４の貫通孔Ｈ２（表面２側の凹部Ａ２、裏面３側の凹部Ｂ２）とともに、上記貫通孔Ｈ１０（表面２の凹部Ａ１０、裏面３側の凹部Ｂ１０）が形成されている。貫通孔Ｈ２と貫通孔Ｈ１０とは、個数及び配置位置などを自由に組み合わせて用いることができる。
【００２９】
貫通孔Ｈ１１では、表面２側の凹部Ａ１１に対して、裏面３側に形成した複数の凹部Ｂ１１１〜Ｂ１１２により、複数の貫通孔が形成されている。また、貫通孔Ｈ１２では、裏面３側の凹部Ｂ１２に対して、表面２側に形成した複数の凹部Ａ１２１〜Ａ１２２により、複数の貫通孔が形成されている。（図１３）
上記の貫通孔Ｈ１〜Ｈ１２は、自由に組み合わせて金属板１に形成することができる。以上の説明では、説明の便宜上第１平面を表面２、第２平面を裏面３としているが、第１平面を裏面３、第２平面２を表面としてもよい。
【００３０】
次に、上記のような構成を持つ金属板１の作用について説明する。
【００３１】
図１４及び図１５は、金属板１と、金属板１に入射する光との関係の第１例及び第２例を示す断面図である。なお、光に代えて、風、液体、音などについても同様である。
【００３２】
例えば、金属板１を通り抜ける光の量を抑制したい場合、金属板１に対する光の入射角に基づいて、金属板１の貫通孔Ｈ４の貫通軸の角度を調整する。
【００３３】
図１４に示すように、光の入射方向と貫通孔Ｈ４の貫通軸方向とに差があるほど、通過する光の量は少なくなる。逆に、図１５に示すように、光の入射方向と貫通孔Ｈ４の貫通軸方向とが近くなるほど、通過する光の量を多くすることができる。なお、図１５では、光の入射角と貫通軸がほぼ一致している例を示している。
【００３４】
図１６は、金属板１と、金属板１に入射する光との関係の第３例を示す断面図である。なお、光に代えて、風、気体、液体、音などについても同様である。
【００３５】
金属板１に形成されている貫通孔Ｈ２，Ｈ１０の開口径を調整することで、金属板１を通り抜ける光の量を調整する。
【００３６】
図１７は、金属板１における図柄形成の第１例を示す断面図である。
【００３７】
図１８は、金属板１における図柄形成の第２例を示す断面図である。
【００３８】
図１７に示すように、金属板１のうち、エッチングのされていない面は光沢面となる。エッチングにより形成された凹部にはエッチングによって光沢面よりも粗い面が形成され、この面はシボ面（梨地面）となる。さらに、金属板１には貫通孔が形成されている。図１８に示すように、金属板１の表面２及び裏面３には、エンボスが形成されるとしてもよい。
【００３９】
エッチングを行い、貫通孔を形成することにより、金属板１に入射した光の貫通及び反射を調整することができ、また、金属板１に、光沢面、シボ面、貫通孔、凹部、エンボスによる図柄が表示される。光沢面、シボ面、貫通孔、凹部、エンボスを組み合わせることにより、図柄又は模様を繊細に描くことができる。なお、金属板１の表面２は、光沢面とせず、シボ面と表面粗さの異なる状態であれば、粗面となっていてもよい。
【００４０】
また、上記図１４及び図１５で説明したとおり、観察者が金属板１を見る位置又は角度によって貫通孔を通過する光量が相違する。したがって、観察者が金属板１を見る位置又は角度に応じて、図柄、模様の見える程度、見えない程度を変化させることができる。さらに、観察者が金属板１を見る位置又は角度に応じて、図柄、模様を変えることもできる。同様に、凹部の形状を変えることにより、見る位置又は角度による表示状態を変えることができる。
【００４１】
本実施の形態に係る金属板１は、観察者が金属板１を見る角度又は位置、見る面に応じて、図柄、模様の表示を変えることが可能であり、また、図柄、模様のコントラストも見る角度又は位置、見る面に応じて変えることが可能である。
【００４２】
例えば、図１９に示すように、金属板１をａ方向から見ると、凹部Ｄの一方の側面部（例えば右側面）が見えるが、一方の側面に対向する他方の側面部（例えば左側面）は見えない。逆に、金属板１をｂ方向から見ると、凹部Ｄの他方の側面部は見えるが一方の側面部は見えない。また、凹部Ｄの側面が曲面、シボ面の場合、凹部Ｄに入射して反射し、観察者に届く光の量も、見る角度によって異なることになる。このように、観察者が金属板１を見る向きによって観察者に見える凹部Ｄの側面形状が変わることにより、図柄、模様を変えることができる。方向（角度）を変えて金属板１を見た際に観察者が見ることができる凹部Ｄの側面の形状を変えることで、同じ図柄、模様であっても、見る方向（角度）に応じて図柄、模様のコントラストを変えることができる。
【００４３】
例えば、観察者が金属板１をある方向から見ると、貫通孔を通過した光と凹部とで、図柄、模様が表示されるが、他の方向から見ると、貫通孔が光を通過しなくなり、この貫通孔が図柄、模様の表示に関与しなくなり、凹部Ｄ側面のみで図柄、模様が表示される。このように、観察者によって目視される角度に応じて図柄、模様、コントラストが異なった表示を行うことが可能となる。
【００４４】
すなわち、本実施の形態では、光沢面、シボ面、貫通孔、凹部、エンボスを組み合わせることで、多彩な図柄、模様の表示が可能になる。
【００４５】
本実施の形態においては、図２０及び図２１に示すように、図柄又は模様のうちの濃い領域、薄い領域を、表面２と裏面３とで逆にすることもできる。
【００４６】
本実施の形態に係る金属板１の製造方法においては、まず、第１の工程で、金属板１の表面２及び裏面３に関する図柄を各々有する表面用及び裏面用のパターン露光用原版を作成する。
【００４７】
第２の工程では、感光性レジストを塗布した金属板の表裏に各々パターン露光用原版を介してパターン露光を行う。次に、感光性レジストに現像を行う。
【００４８】
これにより、金属板１の表面２及び裏面３のうち凹部を形成しない領域にレジストを形成する。
【００４９】
次に、第３の工程で、金属板１の表面２及び裏面３についてエッチングを行い、レジストから露出した部位に凹部を形成するとともに、表裏の凹部が連結した貫通孔を形成する。
【００５０】
次に、第４の工程で、レジストを剥離する。
【００５１】
ここで、上記の第２〜第４の工程は、１回実行される場合もあり、複数回繰り返される場合もある。
【００５２】
次に、第５の工程で、金属板１の表面２及び裏面３に樹脂層のコーティング又は塗装を行う。
【００５３】
図２２は、樹脂層でコーティングされた金属板１の一例を示す断面図である。
【００５４】
金属板１の表面２、裏面３、貫通孔の面、エンボス、凹部などは、樹脂層４によりコーティングがなされる。このコーティングは、例えば電着法を用いてアクリルメラニン樹脂を金属板１の面に形成することで行われる。樹脂層４の厚さとしては、例えば１０μｍ〜１５μｍ程度が好ましい。なお、コーティングに用いられる樹脂の種類及び厚さ、コーティング手法については適宜変更可能である。
【００５５】
このように、金属板１の面に樹脂層４を施すことにより、エッチングにより生じる面のザラツキによって人間の皮膚が損傷することを防止することができ、さわり心地を向上させることができる。さらに、樹脂に色づけを行うことにより、金属板１の表面２と裏面３に、色彩付きの図柄又は模様を描くことができる。透明又は着色した樹脂層４でコーティングを行うことにより、金属板１を汚れにくくすることができ、金属板１の光沢部を保護することができる。
【００５６】
なお、この図２２では、上記図３の貫通孔Ｈ１を有する金属板１がコーティングされた場合を表しているが、これに限定されるものではなく、上記図４〜図１７の貫通孔Ｈ２〜Ｈ１２を有する金属板１についても同様にコーティングを行うことができる。
【００５７】
以上説明した本実施の形態に係る金属板１においては、貫通孔に方向性を持たせ、また、表面２と裏面３とで凹部の開口径を変えたため、光、風、気体、液体、音の通過量を効果的に調整できる。本実施の形態に係る金属板１においては、見る角度又は表面２と裏面３とで表示状態の異なる図柄又は模様を容易に表示することができる。
【００５８】
さらに、本実施の形態においては、様々な種別の貫通孔Ｈ１〜Ｈ１２を組み合わせることで、デザイン性に富んだ表現性の高い図柄を描写できる。
【００５９】
例えば、本実施の形態に係る金属板１を、網戸に用いることにより、樹脂の繊維で編まれた従来の網戸より強度が高く、破損しにくく、防犯効果を持たせることができる。また、防犯効果に加えて、金属板１をガラス窓より室内側に設けることで、外部要因によりガラス窓が割れた場合でも、ガラス破片が室内に散乱することを防止できるなど、安全性を高くすることができる。
【００６０】
本実施の形態においては、金属板１の設置状態、光の入射状態、風向き、雨の向きなどを考慮し、金属板１を通過する光、風の量を調整することができ、雨の侵入を防止することができる。例えば、室内側の凹部と室外側の凹部とをずらして貫通孔の貫通軸を斜めにし、光は遮るが風は通過する金属板１を用いることにより、夏の暑い日ざしを防ぎつつ、涼しい風を室内に取り込むことができる。また、室内から外の風景は見れるが、夕方の西日の太陽光は室内に入らないようにすることもできる。さらに、室内からは、外の風景が見れるが、室外からは、室内を見ることはできないブラインド効果を実現することもできる。
【００６１】
本実施の形態に係る金属板１を用いることで、ある方向からは金属板１を介して反対側を観察することができるが、他の方向からは金属板１を介して反対側を観察しにくくすることができる。
【００６２】
さらに、従来の網戸では線が編まれており、線が重なっている部分があるため、洗浄が困難な場合がある。しかしながら、本実施の形態に係る金属板１を網戸に代えて使用した場合には痛みにくく洗浄容易とすることができる。
【００６３】
（第２の実施の形態）
本実施の形態においては、上記第１の実施の形態における貫通孔Ｈ４について詳しく説明する。
【００６４】
図２３は、本実施の形態に係る金属板１の一例を示す断面図である。
【００６５】
エッチングの特徴及び制約を考慮し、凹部Ａ４と凹部Ｂ４とにおける抜き部の幅（抜き幅）、すなわち貫通孔Ｈ４の径は板厚の１２０％以上が好ましく、図２３に示すように残り部の幅（残り幅）は板厚の６０％以上が好ましい。
【００６６】
また、本実施の形態に係る金属板１を製造する際におけるパターン露光時の裏表のパターンの合わせ誤差による貫通孔の位置ずれ、製造工程における表裏のずれを考慮すると、表面側の凹部Ａ４の軸と裏面側の凹部Ｂ４の軸とのずれ幅は板厚の５０％以上が好ましい。
【００６７】
抜き幅が広いほど、光等の通過率は高くなるが、凹部の側面に段差をつける（表面２と裏面３とで凹部の位置をずらす）ことによって図柄、模様に与える影響・効果が低下する。
【００６８】
残り幅が広いほど、光等の通過率は低くなり、残り幅が狭いほど、金属板１の強度が低くなる。しかしながら、強度については、金型成型などで金属板に形成する縦、横のリブ（補強部）の密度を増すなどによって補うことが可能である。
【００６９】
ずれ幅が狭い場合、貫通軸と金属板１の表面２及び裏面３との角度は大きくなる。そのため、金属板１を網戸とした場合に広い角度で反対側の風景が見えることになり、視野角が広い状態となり、ブラインドとしての効果は低下する。逆に、ずれ幅が広い場合、貫通軸と金属板１の表面２及び裏面３との角度は小さくなる。そのため、金属板１を網戸とした場合に斜め方向からの狭い角度でしか反対側の風景が見えないことになり、視野角が狭い状態となり、ブラインドとしての効果は高くなる。ずれ幅の視野角としての効果を得る上では、ずれ幅は板厚の１００％程度が好ましい。
【００７０】
貫通孔Ｈ４の貫通軸の角度は、表面及び裏面に垂直な方向に対して、４５°以上とすることで、光、空気、気体、水などの液体、音の通過を良好に調整することができるとともに、効果的に図柄、模様を形成することもできる。
【００７１】
金属板１の板厚としては、例えば、０．３ｍｍ〜１．０ｍｍ程度が想定される。金属板１の板厚は、厚いほうが視野角を狭くでき、ブラインドとしての効果をより得られる。
【００７２】
上記各実施の形態においては、主にエッチングにより金属板１に貫通孔を形成する場合を例に説明しているが、例えば、図２４に示すように、貫通軸が金属板１の表面及び裏面に垂直な方向に対して斜めとなる貫通孔Ｈ１３を、レーザなどを用いて金属板１に形成するとしてもよい。
【００７３】
また、凹部及び貫通孔の開口部形状は、自由に設計可能である。例えば、図２５の平面図に示すように、貫通孔の開口部の形状を矩形としてもよい。その他にも、凹部、貫通孔、エンボスの開口部の形状は各種多角形、円、楕円等、さらに自由な形状とすることができる。
【図面の簡単な説明】
【００７４】
【図１】本発明の第１の実施の形態に係る金属板の一例を示す表面図。
【図２】第１の実施の形態に係る金属板の一例を示す裏面図。
【図３】第１の実施の形態に係る金属板の貫通孔の第１例を示す断面図。
【図４】第１の実施の形態に係る金属板の貫通孔の第２例を示す断面図。
【図５】第１の実施の形態に係る金属板の貫通孔の第３例を示す断面図。
【図６】第１の実施の形態に係る金属板の貫通孔の第４例を示す断面図。
【図７】第１の実施の形態に係る金属板の貫通孔の第５例を示す断面図。
【図８】第１の実施の形態に係る金属板の貫通孔の第６例を示す断面図。
【図９】第１の実施の形態に係る金属板の貫通孔の第７例を示す断面図。
【図１０】第１の実施の形態に係る金属板の貫通孔の第８例を示す断面図。
【図１１】第１の実施の形態に係る金属板の貫通孔の第９例を示す断面図。
【図１２】第１の実施の形態に係る金属板の貫通孔の第１０例を示す断面図。
【図１３】第１の実施の形態に係る金属板の貫通孔の第１１例を示す断面図。
【図１４】金属板と光との関係の第１例を示す断面図。
【図１５】金属板と光との関係の第２例を示す断面図。
【図１６】金属板と光との関係の第３例を示す断面図。
【図１７】金属板における図柄形成の第１例を示す断面図。
【図１８】金属板における図柄形成の第２例を示す断面図。
【図１９】観察者が金属板を見る方向と、凹部の側面部との関係の一例を示す断面図。
【図２０】金属板の表面における濃い領域と薄い領域との関係の一例を示す図。
【図２１】金属板の裏面における濃い領域と薄い領域との関係の一例を示す図。
【図２２】樹脂層でコーティングされた金属板の一例を示す断面図。
【図２３】本発明の第２の実施の形態に係る金属板の一例を示す断面図。
【図２４】レーザなどにより形成された貫通孔の一例を示す断面図。
【図２５】貫通孔の開口部の形状の一例を示す平面図。
【符号の説明】
【００７５】
１…金属板、２…表面、３…裏面、４…樹脂層、Ｈ１〜Ｈ１３…貫通孔、Ａ１〜Ａ１２２，Ｂ１〜Ｂ１２，Ｃ８，Ｃ９，Ｄ…凹部
【図１】
2008209573.tif 000003
【図２】
2008209573.tif 000004
【図３】
2008209573.tif 000005
【図４】
2008209573.tif 000006
【図５】
2008209573.tif 000007
【図６】
2008209573.tif 000008
【図７】
2008209573.tif 000009
【図８】
2008209573.tif 000010
【図９】
2008209573.tif 000011
【図１０】
2008209573.tif 000012
【図１１】
2008209573.tif 000013
【図１２】
2008209573.tif 000014
【図１３】
2008209573.tif 000015
【図１４】
2008209573.tif 000016
【図１５】
2008209573.tif 000017
【図１６】
2008209573.tif 000018
【図１７】
2008209573.tif 000019
【図１８】
2008209573.tif 000020
【図１９】
2008209573.tif 000021
【図２０】
2008209573.tif 000022
【図２１】
2008209573.tif 000023
【図２２】
2008209573.tif 000024
【図２３】
2008209573.tif 000025
【図２４】
2008209573.tif 000026
【図２５】
2008209573.tif 000027